(57)【要約】【課題】高精度な視感度補正を行う光センサ用半導体集積回路を提供する。【解決手段】本実施形態の光センサ用半導体集積回路は、可視光を減衰させ赤外光を透過するカバー部材３と集光レンズ２とを介して、環境光を受光し、受光光量に基づき視感度補正を行い、前記環境光の照度を検出する光センサ用半導体集積回路１であって、第１の分光特性を有する第１の受光素子２１と、第２の分光特性を有する第２の受光素子２２と、前記第１の受光素子２１と前記第２の受光素子２２の出力に応じて視感度補正を行う視感度補正手段３０と、を有し、前記視感度補正手段３０は、前記第１の受光素子２１の出力と、前記第２の受光素子２２の出力を時分割でＡＤ変換するＡＤ変換部３１３と、前記ＡＤ変換部３１３で変換された各デジタル信号を減算する演算部３１８と、を有することにより上記課題を解決する。【選択図】図１
2015028455.tif 000002
【特許請求の範囲】
【請求項１】
可視光を減衰させ赤外光を透過するカバー部材と集光レンズとを介して、環境光を受光し、受光光量に基づき視感度補正を行い、前記環境光の照度を検出する光センサ用半導体集積回路であって、
第１の分光特性を有する第１の受光素子と、
第２の分光特性を有する第２の受光素子と、
前記第１の受光素子と前記第２の受光素子の出力に応じて視感度補正を行う視感度補正手段と、を有し、
前記視感度補正手段は、
前記第１の受光素子の出力と、前記第２の受光素子の出力を時分割でＡＤ変換するＡＤ変換部と、
前記ＡＤ変換部で変換された各デジタル信号を減算する演算部と、を有することを特徴とする光センサ用半導体集積回路。
【請求項２】
前記第１の分光特性は、可視光を透過する第１のフィルタにより得られ、
前記第２の分光特性は、赤外光を透過する第２のフィルタにより得られることを特徴とする請求項１に記載の光センサ用半導体集積回路。
【請求項３】
前記視感度補正手段は、前記第２の受光素子の出力に対応する前記デジタル信号に補正係数を乗算する乗算器と、
前記補正係数を設定する補正係数設定手段と、を備えることを特徴とする請求項１又は請求項２に記載の光センサ用半導体集積回路。
【発明の詳細な説明】
【技術分野】
【０００１】
本発明は、光センサ用半導体集積回路に関する。
【背景技術】
【０００２】
近年、携帯電話やスマートフォン等のモバイル機器には、環境光に応じた表示画面の輝度調整及び視認性向上、或いは通話時の省電力化のために、1つの小型パッケージに実装された照度センサ及び近接センサが搭載されている。これらのセンサは、通常、可視光をほぼ遮断する黒系のカバーガラス等のカバー部材で覆われる。
【０００３】
照度センサの分光特性は、視感度特性（人間の目と同様の分光特性）に近づけなければならない。視感度特性に近づけるための、２つの方法がある。第１の方法は、１つのＰＤを用いて、光学フィルタの役割を果たす特殊な樹脂をパッケージに被せる方法、又は、特殊なフィルタの役割を果たすコーティング材を直接ＰＤに塗る方法である。第２の方法は、２つのＰＤを用いる方法である。一方のＰＤは、可視光領域及び赤外光領域に相対感度を有し、もう一方のＰＤは、赤外光領域のみに相対感度を有する。視感度特性に近づけるため、赤外光領域のみに相対感度を有するＰＤの分光特性（測定値）を、可視光領域及び赤外光領域に相対感度を有するＰＤの分光特性（測定値）から、差し引く。この計算はセンサ内部で自動的に行うことはできないため、ＣＰＵ等により計算は行われる必要がある。計算式は、それぞれの光源が持つＩＲ（赤外光）含有量により異なる。
【０００４】
両方の方法においても、通常の使用状態に影響を及ぼさない程度に、赤外光領域に僅かな相対感度が残ってしまう。
【０００５】
しかし、多くのアプリケーション（例えば、携帯電話やテレビ等）において、デザイン上の理由から、照度センサは、パネル等のカバー部材の後ろに配置される。パネル等は、可視光領域にとても低い透過率を有し、赤外光領域にとても高い透過率を有する。これは、センサ全体の分光特性に影響を及ぼす。なぜなら、パネル等の後ろに配置されることで、照度センサに対して、多くの赤外光が入射してしまう。これにより、異なる光源を用いているのと同じ様な、照度センサの誤検出を引き起こしてしまう。ＩＲ含有量が低い光源（例えば、蛍光灯やＬＥＤ等）であっても、可視光は、少ししか入射しない。なぜなら、バックパネルによって、ほぼ可視光が遮断されてしまうためである。しかし、ＩＲ（赤外光）含有量が高い光源（例えば、白熱電球等）においては、光量が同じであれば、赤外光領域の測定値はとても高くなってしまうだろう。なぜなら、パネル等によって、ほぼ可視光が遮断され、更に多くの赤外光が透過することで、赤外光光量の測定値の増大を招いてしまうからだ。結果的に、光やバックライトの調整が、異なる光源の元で正確に行われなくなる。
【０００６】
図８に示す様に、照度センサ用ＰＤの分光特性は、黒系のガラス等のカバー部材で覆われる場合、黒系のカバーガラス等のカバー部材で覆われない場合と比較して、赤外光領域での相対感度が高くなり、結果的に誤検出が生じる。
【０００７】
具体的には、例えば、カレントミラー回路を介して２つのＰＤの出力電流を減算し、ＡＤコンバータによりＡＤ変換することで視感度補正を行う技術が開示されている（例えば、特許文献１参照）。
【０００８】
又、分光特性の異なる２つのフォトセンサの出力電流を、異なるＡＤコンバータでＡＤ変換し、デジタル演算を行うことで照度を測定する技術が開示されている（例えば、特許文献２参照）。
【先行技術文献】
【特許文献】
【０００９】
【特許文献１】米国特許第２０１２／００４９０４８号
【特許文献２】特開２０１１−５８８５３号公報
【発明の概要】
【発明が解決しようとする課題】
【００１０】
しかしながら、カレントミラー回路は微小電流に対して精度を確保し難いため、高精度な視感度補正を行うことが困難である。又、照度センサ用ＰＤの出力電流と視感度補正用ＰＤの出力電流を、異なるＡＤコンバータでＡＤ変換する場合、ＡＤコンバータ間のばらつきにより、変換後のデジタル信号間に変換誤差が生じるため、高精度な視感度補正を行うことが困難である。
【００１１】
本発明は、上記の課題に鑑みてなされたものであり、高精度な視感度補正を行う光センサ用半導体集積回路を提供することを目的とする。
【課題を解決するための手段】
【００１２】
本実施の形態の光センサ用半導体集積回路は、可視光を減衰させ赤外光を透過するカバー部材（３）と集光レンズ（２）とを介して、環境光を受光し、受光光量に基づき視感度補正を行い、前記環境光の照度を検出する光センサ用半導体集積回路（１）であって、第１の分光特性を有する第１の受光素子（２１）と、第２の分光特性を有する第２の受光素子（２２）と、前記第１の受光素子（２１）と前記第２の受光素子（２２）の出力に応じて視感度補正を行う視感度補正手段（３０）と、を有し、前記視感度補正手段（３０）は、前記第１の受光素子（２１）の出力と、前記第２の受光素子（２２）の出力を時分割でＡＤ変換するＡＤ変換部（３１３）と、前記ＡＤ変換部（３１３）で変換された各デジタル信号を減算する演算部（３１８）と、を有することを要件とする。
【００１３】
なお、上記括弧内の参照符号は、理解を容易にするために付したものであり、一例にすぎず、図示の態様に限定されるものではない。
【発明の効果】
【００１４】
本発明の実施の形態によれば、高精度な視感度補正を行う光センサ用半導体集積回路を提供することができる。
【図面の簡単な説明】
【００１５】
【図１】実施形態に係る光センサ用半導体集積回路に光が入射する様子の一例を模式的に示す図である。
【図２】実施形態に係る光センサ用半導体集積回路の構成の一例を示す図である。
【図３】実施形態に係る受光素子における電圧と暗電流との関係の一例を示すグラフである。
【図４】実施形態に係る光センサ用半導体集積回路の構成の一例を示す図である。
【図５】実施形態に係る受光素子における波長と相対感度との関係の一例を示すグラフである。
【図６】実施形態に係るＡＤコンバータのタイミングチャートの一例である。
【図７】実施形態に係るＡＤコンバータのタイミングチャートの他の例である。
【図８】分光特性の一例を示す図である。
【発明を実施するための形態】
【００１６】
以下、図面を参照して発明を実施するための形態について説明する。各図面において、同一構成部分には同一符号を付し、重複した説明を省略する場合がある。
【００１７】
本明細書において、「相対感度」とは、照度センサ用受光素子の、ある波長での感度（最大感度）を１００％として正規化した分光特性における、それぞれの波長（波長４００ｎｍ〜波長１１５０ｎｍ）での感度を指すものとする。又、本明細書において、平面形状とは対象物を受光部２０の表面２０ｓの法線方向から視た形状を指すものとする。
【００１８】
[光センサ用半導体集積回路の構成]
まず、本実施形態に係る光センサ用半導体集積回路の構成の一例と、該光センサ用半導体集積回路が、環境光を受光してから照度を検出するまでの流れを、図１を用いて簡単に説明する。
【００１９】
光センサ用半導体集積回路１は、受光部２０と視感度補正手段３０を含む。
【００２０】
光１０（環境光）は、カバー部材３と、集光レンズ２とを介して、受光部２０に入射する。受光部２０は、同一基板上に形成される複数の受光素子を含む。各受光素子は、光電変換部、電極等を含み、受光光量に基づき電流が流れる。各受光素子としては、ＰＮ型フォトダイオード、ＰＩＮ型フォトダイオード、フォトトランジスタ等を用いることができる。なお、各受光素子の出力電流は、ｐＡオーダーの微弱電流である。
【００２１】
光１１は、受光部２０の表面２０ｓに対して垂直方向から入射する光（以下、直進光と記載する）であり、光１２は、受光部２０の表面２０ｓに対して斜め方向から入射する光（以下、斜光と記載する）である。
【００２２】
カバー部材３は、受光部２０を隠す部材として用いられるため、黒色の樹脂、黒色のガラス等により形成される。カバー部材３は、可視光を減衰させ（９０％程度遮断）、赤外光を透過する。カバー部材３の厚さ、材質、遮光率等を、適宜調整することで、受光部２０が受光する環境光の光量を変化させることが可能である。
【００２３】
集光レンズ２は、カバー部材３を透過する光を集光する。直進光が入射する場合と、斜光が入射する場合とで、受光部２０に集光する光の位置は異なる。どちらの場合であっても、受光部２０内に形成される複数の受光素子間において、受光光量のばらつきは、少ないことが好ましい。集光レンズ２の種類は特に限定されないが、凸レンズやシリンドリカルレンズ等を用いることができる。
【００２４】
視感度補正手段３０は、照度センサ用受光素子及び視感度補正用受光素子の出力電流を、同じＡＤコンバータで、交互にＡＤ変換し、演算処理することで、視感度補正を行う。演算処理としては、照度センサ用受光素子の出力電流に対応するデジタル信号から、補正係数を乗じた視感度補正用受光素子の出力電流に対応するデジタル信号を減算する。視感度補正手段３０にて高精度な視感度補正を行い、照度センサ用受光素子の分光特性を視感度特性に近づけることで、光センサ用半導体集積回路１の誤検出を低減できる。
【００２５】
[受光部の構成]
図２（Ａ）に、本実施形態に係る光センサ用半導体集積回路１が備える受光部２０の構成の一例を示す。
【００２６】
受光部２０は、第１の受光素子２１と、第２の受光素子２２と、第３の受光素子２３を含む。図２（Ａ）に示す様に、第１の受光素子２１は、照度センサ用の受光素子であり、第２の受光素子２２は、視感度補正用の受光素子であり、第３の受光素子２３は、近接センサ用の受光素子である。
【００２７】
照度センサは、第１の受光素子２１が受光する環境光の光量に基づき、周囲の明るさを検出する。又、近接センサは、第３の受光素子２３が受光する赤外光の光量の変化に応じて、物体の接近を検出する。近接センサは、動く物体から反射する微弱な赤外光を検出するため、第３の受光素子２３は、高感度に設計されることが好ましい。
【００２８】
第１の受光素子２１は、第１の分光特性を有する。第１の分光特性は、可視光領域に高い相対感度を有する。第１の分光特性は、例えば、波長が約５５０ｎｍで最大感度を有し、波長が約８００ｎｍで僅かな相対感度を有する。
【００２９】
図２（Ｂ）に示す様に、第１の受光素子２１を覆うように、赤外光カットフィルタ（第１のフィルタ）５００を形成することが好ましい。赤外光カットフィルタは、可視光を透過し、赤外光を減衰させる。該フィルタを形成することで、第１の分光特性における赤外光領域での相対感度を低くすることができる。
【００３０】
第２の受光素子２２及び第３の受光素子２３は、第２の分光特性を有する。第２の分光特性は、赤外光領域に高い相対感度を有する。
【００３１】
図２（Ｃ）に示す様に、第２の受光素子２２及び第３の受光素子２３を覆うように、可視光カットフィルタ（第２のフィルタ）５０１を形成することが好ましい。可視光カットフィルタは、赤外光を透過し、可視光を減衰させる。該フィルタを形成することで、第２の分光特性における可視光領域での相対感度を、より低くすることができる。
【００３２】
なお、第２のフィルタを形成する場合、第２の受光素子２２及び第３の受光素子２３を、第２のフィルタで同時に覆うことができる様に、第２の受光素子２２と第３の受光素子２３とを隣接して配置することが好ましい。
【００３３】
[視感度補正手段]
図４に、本実施形態に係る光センサ用半導体集積回路１が備える視感度補正手段３０の一例を示す。
【００３４】
視感度補正手段３０は、スイッチ回路３１１、スイッチ回路３１２、ＡＤコンバータ３１３、第１のデシメーションフィルタ３１４（照度センサ用）、第２のデシメーションフィルタ３１５（視感度補正用）、乗算器３１６、制御回路３１７、加算器３１８を含む。
【００３５】
視感度補正手段３０は、入力信号２４、２５を、ＡＤコンバータ３１３により時分割でＡＤ変換し、デシメーションフィルタ３１４、３１５により間引きし、乗算器３１６及び加算器３１８により演算処理して、出力信号１７０を出力する。
【００３６】
スイッチ回路３１１は、第１の受光素子２１からの入力信号２４の、ＡＤコンバータ３１３への入力、非入力の切り替えを行う。スイッチ回路３１１のオン、オフの切り替えは、制御回路３１７により制御される。例えば、スイッチ回路３１１がオンの時、入力信号２４は、ＡＤコンバータ３１３に入力される。
【００３７】
スイッチ回路３１２は、第２の受光素子２２からの入力信号２５の、ＡＤコンバータ３１３への入力、非入力の切り替えを行う。スイッチ回路３１２のオン、オフの切り替えは、制御回路３１７により制御される。例えば、スイッチ回路３１２がオンの時、入力信号２５は、ＡＤコンバータ３１３に入力される。
【００３８】
制御回路３１７は、スイッチ回路３１１のオン（オフ）のタイミングと、スイッチ回路３１２のオン（オフ）のタイミングとが一致しない様に、各スイッチ回路を制御する（詳細は、後述のタイミングチャート参照）。
【００３９】
ＡＤコンバータ３１３（ＡＤ変換部）は、例えば１６ビットの△Σ型ＡＤコンバータであり、△Σ変調を利用してＡＤ変換を行う。具体的には、ＡＤコンバータ３１３は、スイッチ回路３１１、３１２のオン、オフの切り替えのタイミングと同期して、入力信号２４、２５をＡＤ変換し、出力信号１２０（デジタル信号）を生成する。言い換えれば、ＡＤコンバータ３１３は、第１の受光素子２１の出力である入力信号２４と、第２の受光素子２２の出力である入力信号２５を時分割でＡＤ変換し、出力信号１２０（デジタル信号）を生成する。又、ＡＤコンバータ３１３は、出力信号１２０を、第１のデシメーションフィルタ３１４及び第２のデシメーションフィルタ３１５に入力する。
【００４０】
第１のデシメーションフィルタ３１４は、出力信号１２０を間引きし、第１の受光素子２１の出力電流に対応する信号１４０（デジタル信号）を生成する。又、信号１４０を演算部である加算器３１８に入力する。第２のデシメーションフィルタ３１５は、出力信号１２０を間引きし、第２の受光素子２２の出力電流に対応する信号１５０（デジタル信号）を生成する。又、信号１５０を乗算器３１６に入力する。同じＡＤコンバータにより２つの入力信号が時分割でＡＤ変換されるため、信号１４０と信号１５０との間には、ほぼ変換誤差は生じない。なお、デシメーションフィルタにより、出力信号１２０に発生するノイズ等を除去することもできる。
【００４１】
第１のデシメーションフィルタ３１４及び第２のデシメーションフィルタ３１５の動作、非動作は、制御回路３１７により制御される。
【００４２】
乗算器３１６は、補正係数と信号１５０とを乗算し、信号１６０（デジタル信号）を生成する。なお、乗算器３１６には、反転回路（インバータ）が設けられるため、信号１６０は、補正係数を乗じた信号１５０の反転信号となる。
【００４３】
加算器３１８は、信号１４０と信号１６０とを加算（実質的には減算）し、出力信号１７０（デジタル信号）を生成する。
【００４４】
つまり、照度センサ用受光素子である第１の受光素子２１の出力電流に対応する信号１４０から、補正係数を乗じた視感度補正用受光素子である第２の受光素子２２の出力電流に対応する信号１６０を減算する。これにより、第１の受光素子２１における赤外光領域での相対感度を低くすることができる。
【００４５】
なお、加算器３１８にオフセット入力部を設け、視感度補正手段３０による演算処理では暗電流を完全に相殺できない場合等に、オフセット入力部からオフセットを入力することで暗電流を相殺できるようにしてもよい。
【００４６】
乗算器３１６及び加算器３１８での演算処理は、次式で表せる。（信号１４０）−｛（補正係数）×（信号１５０）｛＝（信号１６０）｝｝＝出力信号１７０
なお、視感度補正手段３０は、補正係数を任意に設定する補正係数設定回路や、設定された補正係数を適宜選択する補正係数選択回路等（図示せず）を備えていても良い。これらの回路を用いて、補正係数を諸条件に合わせて適宜調整することが好ましい。
【００４７】
例えば、視感度補正手段３０を所定のインターフェイス（例えば、Ｉ２Ｃバス等）を介してＣＰＵ等と接続し、ＣＰＵ等から補正係数の設定や選択を行えるようにしてもよい。この場合は、ＣＰＵ等により補正係数設定手段を実現できる。補正係数設定手段は、ソフトウェアにより実現しても良いし、ハードウェアにより実現してもよいし、両者を含むものであってもよい。
【００４８】
図５は、補正係数を、０、４、１６、２４と変化させた場合の、カバー部材３で覆われた第１の受光素子２１の相対感度と、波長との関係を示すグラフである。横軸は波長［ｎｍ］（波長４００ｎｍ〜波長１１５０ｎｍ）、縦軸は相対感度［％］である。
【００４９】
補正係数が大きくなる程、赤外光領域での相対感度は、低くなることがわかる。例えば、波長が８００［ｎｍ］の場合、補正係数が０での相対感度は約２５％、補正係数が２４での相対感度は約６％である。
【００５０】
即ち、補正係数を変化させることで、赤外光領域での相対感度を制御できることがわかる。受光素子特性等、諸条件に応じて、補正係数を適宜設定することが好ましい。なお、ベアチップ（受光部２０がカバー部材３で覆われない）での第１の受光素子２１の相対感度は、波長が８００［ｎｍ］、補正係数が０の場合、約５％である。受光部２０がカバー部材３で覆われることにより、赤外光領域での相対感度は高まってしまう。
【００５１】
表１に、光源及び補正係数を変化させた場合の、黒ガラスで覆われた照度センサの出力値（単位：ｃｏｕｎｔ）、及び白熱灯を使用した場合の測定結果と蛍光灯を使用した場合の測定結果の比率を示す。
【００５２】
【表１】
2015028455.tif 000003
光源には、蛍光灯と白熱灯を使用している。蛍光灯は、赤外光含有量の少ない光源であり、白熱灯は、赤外光含有量の多い光源である。
【００５３】
表１より、補正係数を大きくする程、赤外光含有量を低減することができ、また、蛍光灯に比べ白熱灯における赤外光含有量の低減量が大きいことがわかる。特に、補正係数が２４の場合、蛍光灯と白熱灯に対する出力の比率は、約１．０となり、どちらの光源を使用しても、同等な測定結果を得る事ができる。
【００５４】
これより、補正係数を大きくする程、黒ガラスで覆われた第１の受光素子２１の分光特性において、赤外光領域での相対感度を低くし、該分光特性を視感度特性に近づけられることが示唆される。即ち、補正係数を制御することで、黒ガラスによる悪影響を効果的に取り除けることが実証された。
【００５５】
[タイミングチャート]
図６及び図７に、ＡＤコンバータ３１３におけるタイミングチャートを示す。図６は、ＡＤ変換期間が、１００［ｍｓ］の場合のタイミングチャートである。図７は、ＡＤ変換期間が、５０［ｍｓ］の場合のタイミングチャートである。
【００５６】
ＡＤコンバータ３１３が、入力信号２４又は入力信号２５をＡＤ変換する期間を、期間Ｔ１とする。ＡＤコンバータ３１３が、入力信号２４をＡＤ変換する期間を、期間Ｔ２、入力信号２５をＡＤ変換する期間を、期間Ｔ３とする。期間Ｔ１、期間Ｔ２、期間Ｔ３は、任意に設定できる。
【００５７】
図６及び図７より、スイッチ回路３１１がオンのタイミングとスイッチ回路３１２がオンのタイミングとは一致しないことがわかる。ＡＤコンバータ３１３は、スイッチ回路３１１がオンの時、入力信号２４のみをＡＤ変換し、スイッチ回路３１２がオンの時、入力信号２５のみをＡＤ変換する。つまり、ＡＤコンバータ３１３は、入力信号２４と入力信号２５とを、時分割でＡＤ変換する。
【００５８】
期間Ｔ１が、１００［ｍｓ］の場合、制御回路３１７は、例えば、期間Ｔ２及び期間Ｔ３を５０［ｍｓ］として、スイッチ回路３１１及びスイッチ回路３１２のオン、オフの切り替えを、５０［ｍｓ］毎に制御する。この場合、ＡＤコンバータ３１３は、入力信号２４と入力信号２５とを、５０［ｍｓ］毎に交互に１回取り込み、ＡＤ変換して、照度センサ用デジタル信号を１回、視感度補正用デジタル信号を１回出力する。
【００５９】
期間Ｔ１が、５０［ｍｓ］の場合、制御回路３１７は、例えば、期間Ｔ２及び期間Ｔ３を６．２５［ｍｓ］として、スイッチ回路３１１及びスイッチ回路３１２のオン、オフの切り替えを、６．２５［ｍｓ］毎に制御する。この場合、ＡＤコンバータ３１３は、入力信号２４と入力信号２５とを、６．２５［ｍｓ］毎に交互に４回取り込み、ＡＤ変換して、照度センサ用デジタル信号を４回、視感度補正用デジタル信号を４回出力する。取り込み回数と出力回数を増やすことで、ＡＣ電圧源の５０／６０Ｈｚ周波数による蛍光灯のリップル（光量のゆらぎ）を低減できる。
【００６０】
なお、光センサ用半導体集積回路には、近接センサ用の赤外線ＬＥＤ等を駆動するための、ＬＥＤ駆動回路が備えられていても良い。この場合ＬＥＤ駆動回路の駆動のタイミングは、視感度補正手段の外部に備えられる制御回路により、近接センサ用受光素子である第３の受光素子２３の出力電流に対応するデジタル信号と同期する様に制御される。従って、視感度補正手段におけるＡＤ変換のタイミング（図６及び図７参照）と、ＬＥＤ駆動回路の駆動タイミングとは、別個に制御される。
【００６１】
このように、本実施の形態に係る視感度補正手段によれば、同一のＡＤコンバータを用いて２つの入力信号を交互にＡＤ変換して演算処理することで視感度補正を行うため、微小電流に対しても精度を確保し易く、高精度な視感度補正が可能である。その結果、光センサ用半導体集積回路の検出精度を高められる。
【００６２】
以上、本発明の好ましい実施形態について詳述したが、本発明は係る特定の実施形態に限定されるものではなく、特許請求の範囲に記載された本発明の実施形態の要旨の範囲内において、種々の変形、変更が可能である。
【符号の説明】
【００６３】
１  光センサ用半導体集積回路
２  集光レンズ
３  カバー部材
１０  環境光
２１  第１の受光素子
２２  第２の受光素子
３０  視感度補正手段
３１３  ＡＤコンバータ
３１６  乗算器
３１８  加算器
５００  赤外光カットフィルタ（第１のフィルタ）
５０１  可視光カットフィルタ（第２のフィルタ）
【図１】
2015028455.tif 000004
【図２】
2015028455.tif 000005
【図３】
2015028455.tif 000006
【図４】
2015028455.tif 000007
【図５】
2015028455.tif 000008
【図６】
2015028455.tif 000009
【図７】
2015028455.tif 000010
【図８】
2015028455.tif 000011